(57)【要約】      （修正有）【課題】発光体を用いて動物を象った型板をシルエットのように浮かび上がらせて見えるようにした発光機能付き装飾装置を提供する。【解決手段】発光ユニットと、電源ユニットと、制御ユニットとを、乳白色で半透明なアクリル系樹脂からなる筐体３内に設け、前記筐体３を不透明材料からなり動物を象った型板５の外縁よりも内側に係着して設けられ、前記型板５の正面側から前記筐体３は見えないように構成されている。【選択図】図１
0003202417.tif 000002
【実用新案登録請求の範囲】
【請求項１】
ＬＥＤ素子を等間隔に設けた帯状の発光ユニットと、小型電池とスイッチを電池ボックスに内蔵した電源ユニットと、前記ＬＥＤ素子の点灯制御回路からなる制御ユニットとを有し、
前記発光ユニットと、前記電源ユニットと、前記制御ユニットとを、乳白色で半透明なアクリル系樹脂からなる筐体内に設け、
前記筐体を不透明材料からなり動物を象った型板の背面であって、前記型板の外縁よりも内側に係着したことを特徴とする発光機能付き装飾装置。
【請求項２】
前記型板の材料が硬質フェルト或いはアクリル系樹脂のどちらか一方の不透明材料からなり、前記型板の色は正面側が黒色で前記筐体を係着する背面側が白色からなる請求項１に記載の発光機能付き装飾装置。
【請求項３】
前記制御ユニットに、振動センサーと音センサーを設けてなる請求項２に記載の発光機能付き装飾装置。
【考案の詳細な説明】
【技術分野】
【０００１】
本考案は、主に屋内の装飾に用いられる発光機能付き装飾装置に関わり、発光体を用いて動物を象った型板をシルエットのように浮かび上がらせて見えるようにした発光機能付き装飾装置に関するものである。
【背景技術】
【０００２】
室内の装飾において、発光体からの光を照射されることにより装飾部材である草花や観葉植物が浮かび上がる装飾用の照明器具が提案されている。
具体的には、発光体を備えた基体と、この基体に併設されて前記発光体を露出させた状態で設けられる保持部材と、光透過性材料によって形成され、前記保持部材に装着されて前記発光体を覆う装飾部材とからなる装飾用照明具なるものが知られている（特許文献１参照）。
【先行技術文献】
【特許文献】
【０００３】
【特許文献１】特開２０１５−７６２４０号公報
【考案の概要】
【考案が解決しようとする課題】
【０００４】
しかし、従来技術は、対象の装飾部材に発光体の光を直接照射しているために、僅かでも外部への光の漏れがあったり、また、直接光であるために柔らかい印象が弱くなるなど、本願目的のシルエットのように浮かび上がらせて見えるように使用するには不向きであった。
【課題を解決するための手段】
【０００５】
本考案は、前記課題を解決し、有用で装飾効果の高い発光機能付き装飾装置を提供するもので、請求項１に記載の考案は、ＬＥＤ素子を等間隔に設けた帯状の発光ユニットと、小型電池とスイッチを電池ボックスに内蔵した電源ユニットと、前記ＬＥＤ素子の点灯制御回路からなる制御ユニットとを有し、前記発光ユニットと、前記電源ユニットと、前記制御ユニットとを、乳白色で半透明なアクリル系樹脂からなる筐体内に設け、前記筐体を不透明材料からなり動物を象った型板の背面であって、前記型板の外縁よりも内側に係着したことを特徴とする発光機能付き装飾装置である。
【０００６】
前記型板には、好ましくは、前記型板の材料が硬質フェルト或いはアクリル系樹脂のどちらか一方の不透明材料からなり、前記型板の色は正面側が黒色で前記筐体を係着する背面側が白色からなる。これにより、前記型板の正面側には光が透過することがなく、背面側に直接光ではなく優しくて柔らかい間接光が拡散照射されるので、前記型板の外縁に沿ってシルエットのようなコントラストがつき、その結果、前記型板がシルエットのように浮かび上がり、且つ被取付け対象である壁面をも明るくすることができる。
【０００７】
前記制御ユニットには、好ましくは、振動センサーと音センサーを設けてなる。これにより、ドアの開閉や足音などの振動および音で前記ＬＥＤ素子が自動点灯し、シルエットのような装飾効果と共に夜間の非常灯の役目を担い、その後、設定時間になれば前記ＬＥＤ素子を自動消灯させることができる。
【考案の効果】
【０００８】
本考案によれば、前記型板がシルエットのように浮かび上がり、且つ被取付け対象である壁面が明るくなることによりシルエット効果をさらに引き立たせることができる発光機能付き装飾装置を提供できる。
【図面の簡単な説明】
【０００９】
【図１】本考案の発光機能付き装飾装置の一実施例を示し、型板にネコを象ったもので、ネコが歩いている状態の（ａ）正面図および（ｂ）平面図である。
【図２】図１の発光機能付き装飾装置の一実施例を示し、型板にネコを象った場合の（ａ）背面図および（ｂ）平面図である。
【図３】図１の発光機能付き装飾装置の一実施例を示し、筐体内部の構成を示す正面図である。
【図４】図１の発光機能付き装飾装置の一実施例を示し、筐体の固定溝に嵌入する前の状態の発光ユニットの正面図である。
【図５】図１の発光機能付き装飾装置の一実施例で、筐体の容器を示す（ａ）正面図、（ｂ）平面図および（ｃ）側面図である。
【図６】図１の発光機能付き装飾装置の一実施例で、筐体の蓋を示す（ａ）正面図、（ｂ）平面図および（ｃ）側面図である。
【図７】本考案の発光機能付き装飾装置の他の実施例で、図１と同じくネコを象ったもので、ネコが座った状態の（ａ）背面図および（ｂ）平面図である。
【図８】本考案の発光機能付き装飾装置の実際の壁面への取付け例で、ＬＥＤ素子が点灯した状態の写真である。
【考案を実施するための形態】
【００１０】
以下、本考案に係る実施の形態を、図を参照しながら詳しく説明する。
【００１１】
本考案の発光機能付き装飾装置１は、図１および図２に示すように、略楕円形状の筐体３を不透明材料からなり動物を象った型板５（本実施形態においては、ネコが歩いている例を示した）の背面であって、前記型板５の外縁よりも内側に係着して設けられ、前記型板５の正面側から前記筐体３が見えないように構成されてなる。
【００１２】
前記型板５の材料は、硬質フェルト或いはアクリル系樹脂のどちらか一方の黒色の不透明材料からなり、そのために前記型板５の色は正面側５１が黒色である一方、反対側である前記筐体３を係着する背面側５３は光を反射させる目的のために白色の塗装、或いは白色シートの貼り付け等の加工が施されてなる。
【００１３】
前記筐体３と前記型板５との係着は、前記筐体３および前記型板５が小型で且つ軽量のために接着剤で係着してなる。なお、接着剤以外のネジ、或いは超音波溶着などによる係着でも良い。
【００１４】
前記筐体３の内部には、図３乃至図６に示すように、ＬＥＤ素子３１３を等間隔に設けた帯状ＬＥＤ３１１からなる発光ユニット３１と、ボタン型電池、或いは単４電池からなる小型電池３３３と電源ＯＮ／ＯＦＦ用のスイッチ３３５とを内蔵した電池ボックス３３１からなる電源ユニット３３と、ＬＥＤ素子３１３の点灯制御回路３５１と振動センサー３５３と音センサー３５５からなる制御ユニット３５とを備える。
【００１５】
また、前記筐体３は、乳白色で半透明なアクリル系樹脂のインジェクション成型品からなり容器３７と蓋３９から構成されており、前記容器３７には組立て易さを考慮して、前記電源ユニット３３と前記制御ユニット３５の、位置決め用ボス３７１と、固定用ボス３７３と、前記帯状ＬＥＤ３１１の固定溝３７５とを設けてなる。また、前記容器３７には開閉用突起３７７と、前記蓋３９には開閉用角穴３９３とを設けて、前記容器３７と前記蓋３９が開閉自在な嵌入方式で蓋ができるようになっている。
【００１６】
前記蓋３９は、前記発光機能付き装飾装置１の被取付け対象である壁面への取付け用としてダルマ穴３９１が形成されている。前記ダルマ穴３９１は、本考案の発光機能付き装飾装置１の動物を象った前記型板５の形状によって、任意に穴位置を設定できるよう追加工ができる。また、前記蓋３９には開閉時当たり用ボス３９５を設けて、前記容器３７との閉まり具合を確実にしている。
【００１７】
前記ＬＥＤ素子３１３の発光色は、電球色相当でも良く、また、昼光色相当でも良く、それ以外の発光色であっても良い。つまり、本考案の発光機能付き装飾装置１の用途によって自在に選択が可能である。
【００１８】
前記帯状ＬＥＤ３１１は、前記ＬＥＤ素子３１３を等間隔（本実施形態においては、２センチメートル間隔の例を示した）に設けてなり、前記帯状ＬＥＤ３１１を前記筐体３の前記容器３７の内側に形成した前記固定溝３７５に嵌入して、前記帯状ＬＥＤ３１１が略楕円形状をなして固定される。なお、前記容器３７の内側に形成した前記固定溝３７５に前記帯状ＬＥＤ３１１を嵌入する際、前記ＬＥＤ素子３１３の光が前記容器３７の周側面に対して外側を向く方向にしなくてはならない。
【００１９】
このようにしてなる前記発光ユニット３１は、前記筐体３内に形成されてなる被覆電線（図示略）によって、前記電源ユニット３３と前記制御ユニット３５とを相互に電気的に接続されてなる。
【００２０】
前記小型電池３３３は、ボタン型電池、或いは単４電池が消耗品につき、前述したように、前記筐体３の前記蓋３９が開閉可能となっているために電池交換が容易にできるようになっている。また、前記小型電池３３３と電源ＯＮ／ＯＦＦ用の前記スイッチ３３５とを内蔵する前記電池ボックス３３１にはカバー３３７を設けて、前記小型電池３３３および前記スイッチ３３５を保護してなる。
【００２１】
前記制御ユニット３５には、前記ＬＥＤ素子３１３の前記点灯制御回路３５１と前記振動センサー３５３と前記音センサー３５５を設けてなり、ドアの開閉や足音などの振動および音で前記ＬＥＤ素子３１３が自動点灯し、シルエットのような装飾効果と共に夜間の非常灯の役目を担い、その後、設定時間になれば前記ＬＥＤ素子３１３を自動消灯させることができる。
【００２２】
上記のようにしてなる本考案の発光機能付き装飾装置１は、被取付け対象である壁面に取付けて使用するものであるが、その代表的な取付け方法は、前記筐体３の前記蓋３９に両面テープを貼り、前記蓋３９を被取付け対象である壁面に接着するだけで良い。それ以外に、前述したように、前記蓋３９に備えたダルマ穴３９１を被取付け対象である壁面に設けたフックに引掛けることでも良い。
【００２３】
次いで、本考案の他の実施形態について、図７に示すように、ネコを想定した前記型板５の他のバリエーションで、ネコが座った状態のものである。また、ネコ以外でも、犬（図示略）であったり、ウサギ（図示略）であったり、或いは動物以外であっても良い。
【００２４】
本考案の発光機能付き装飾装置１の実際の取付け例について、図８は、壁面への取り付けで前記ＬＥＤ素子３１３が点灯している状態の写真を示す。このように、直接光ではなく間接光が前記筐体３から放射されるために、前記型板５がシルエットのように浮かび上がり、且つ前記背面側５３が光を反射させる白色をなすことで、被取付け対象である壁面も明るくなることにより、シルエット効果をさらに引き立たせることができる。
【００２５】
上記の通り、本考案によれば、直接光ではなく優しくて柔らかい間接光が前記筐体３から拡散照射されるので、動物を象った前記型板５にシルエットのようなコントラストがつき、その結果、前記型板５がシルエットのように浮かび上がり、且つ被取付け対象である壁面を明るくすることができるので、シルエット効果をさらに引き立たせることができ、高い装飾効果を得ることが可能な発光機能付き装飾装置１を提供できる。
【００２６】
また、本考案によれば、ドアの開閉や足音などを前記振動センサー３５３および前記音センサー３５５で検知して前記ＬＥＤ素子３１３が自動点灯し、前述したシルエットのような装飾効果と共に、夜間の非常灯の役目を担い、その後、設定時間になれば前記ＬＥＤ素子３１３を自動消灯させることができる。
【００２７】
また、本考案によれば、前記型板５の形状を動物に限ることなく、前述したように、例えば、銀杏の葉を象ったり、ランドマークタワーを象ったり、そのバリエーションの広がりは言うまでもない。
【符号の説明】
【００２８】
１    発光機能付き装飾装置
３    筺体
５    型板
３１    発光ユニット
３３    電源ユニット
３５    制御ユニット
３７    容器
３９    蓋
５１    正面側
５３    背面側
３１１    帯状ＬＥＤ
３１３    ＬＥＤ素子
３３１    電池ボックス
３３３    小型電池
３３５    スイッチ
３３７    カバー
３５１    点灯制御回路
３５３    振動センサー
３５５    音センサー
３７１    位置決め用ボス
３７３    固定用ボス
３７５    固定溝
３７７    開閉用突起
３９１    ダルマ穴
３９３    開閉用角穴
３９５    当たり用ボス
【図１】
0003202417.tif 000003
【図２】
0003202417.tif 000004
【図３】
0003202417.tif 000005
【図４】
0003202417.tif 000006
【図５】
0003202417.tif 000007
【図６】
0003202417.tif 000008
【図７】
0003202417.tif 000009
【図８】
0003202417.tif 000010